(57)【要約】      （修正有）【課題】布生地を挟んだ日よけシェードであって、耳や首の後ろ周りを紫外線から防止することができる日よけシェードを提供する。【解決手段】日よけシェードであって、ドーナツ状に空洞化された左右一対の耳あて部２と前記一対の耳あてをヒンジで接続するアーチ部３を備え、アーチ部３の全体に亘って布生地が装着されている。耳あて部２は布生地のカバーで覆われ、アーチ部３とヒンジで接続され、２枚の板状部材で形成したクリップ状から成るアーチ部３で布生地を挟み着脱自在に装着する。布生地５は３枚の短冊状を成し、真中の短冊状片を他の短冊状片よりも幅広にし、裾にワイヤー９を装着した。【選択図】図１
0003219254.tif 000002
【実用新案登録請求の範囲】
【請求項１】
紫外線を防ぐ耳あてであって、中空状のドーナツ状を成し、前記左右一対の耳あて部と両端をヒンジ等で結合したアーチ部材で形成されており、前記アーチ部材の全体に亘って布生地が装着されていることを特徴とする日よけシェード。
【請求項２】
前記一対の耳あて部は、それぞれ外側から内側方向に直角に折り収納することを特徴とする請求項１記載の日よけシェード。
【請求項３】
耳あて部は布生地で覆うカバーと、前記アーチ部は板状部材で形成し布生地は前記一端にヒンジ結合し、他端を開放したクリップ状から成るアーチ部で挟み着脱自在に装着をすることを特徴とする請求項１から２記載の日よけシェード。
【請求項４】
前記アーチ部の板状部材は、ばね口金状を成し、両端より中央方向へ圧力を加え、開口部で布生地を挟み着脱自在に装着することを特徴とする請求項１から３記載の日よけシェード。
【請求項５】
前記布生地は３枚の短冊状を成し、真中の短冊状片を他の短冊状片よりも幅広にし、裾にワイヤーを装着したことを特徴とする請求項１から４記載の日よけシェード。
【請求項６】
前記布生地を挟んだアーチ部は首部の後側に装着し、前記布生地の短冊状に形成した左右の短冊状片を首部の前側で留めることを特徴とする請求項１から５記載の日よけシェード。
【考案の詳細な説明】
【技術分野】
【０００１】  本考案は耳や首回りの汗や紫外線を直接浴びないように後頭部に挟んだ布生地を着脱自在にした日よけシェードに関するものである
【背景技術】
【０００２】  従来、外出や家事の際帽子をかぶったり、日焼け止めクリームを塗ったり、首にはタオルをかけたり日傘を使ったりしながら紫外線から体を守っていた。
【先行技術文献】
【特許文献】
【特許文献１】実用新案登録番号第３０２５５５４号公報
【特許文献２】
【考案の概要】
【考案が解決しようとする課題】
【０００３】  従来の紫外線対策では、動いている間にタオルがずれたり、帽子をかぶるとヘアスタイルがくずれたり、日傘は手に持つ負担大と欠点が多かった。
また自転車に乗るとき日傘の利用は不可能で強風で帽子が飛ばされ、耳や首回りの紫外線対策に欠けていた。
【課題を解決するための手段】
【０００４】  第１に日よけシェードは、従来の耳あてをドーナツ状に空洞化し、涼しく通気性よいもので形成し、耳あて部分を布生地のカバーで覆い、２枚で構成されたアーチ部分に着脱自在な布生地を挟み固定できるようにし、後頭部に装着することで耳と首回りを紫外線から守ることを特徴とするものである。
第２に２枚で構成されたアーチ部分は布生地が滑り落ちないように加工し、後頭部髪の生え際に装着することで汗を吸収し髪の毛に汗が付着しにくいこと、布生地の裾にソフトワイヤーなどを使用し、風で捲れるのを防止することを特徴とするものである。
第３に日よけシェードの耳あて部分とアーチの結合部分は回転ヒンジを使うことで折りたためるようにし、かさばる荷物から回避できることを特徴とするものである。
【考案の効果】
【０００５】  以上、述べたように日よけシェードは耳あて部分を通気性良くするようドーナツ状に空洞化しカバーで覆うことにより外部音の遮断を防止し安全に着用することができる。
アーチ部分を柔らかいばね口金やクリップ形状にして、布生地を簡単に装着でき、汗を吸収できるようにしたので汚れたら交換可能で汗ばんだ首回りから不快感を解消し衛生的である。
ヘアスタイルはアーチ部分を後頭部髪の生え際に装着するためスタイル崩れの悩みを解消することができる。
耳あて部分とアーチの結合部分は回転ヒンジにより耳当てを内側に折りたためるようにしたため、カバンの隙間に収納することができる。
【図面の簡単な説明】
【０００６】
【図１】  日よけシェード全体の正面図
【図２】  後方図
【図３】  真上図
【図４】  側面図
【図５】  図１布生地を前首で結んだ図
【図６】  日よけシェードのアーチの形状クリップ型の図
【図７】  日よけシェードのアーチの形状ばね口金型拡大図
【図８】  ６図のアーチ部分に挟み込む布生地
【図９】  ６図のアーチ部分に挟み込む布生地
【図１０】  ７図のアーチ部分に挟み込む布生地
【図１１】  ７図のアーチ部分に挟み込む布生地
【図１２】  耳あてを覆うカバー側面図
【図１３】  耳あてを覆うカバー内側図
【図１４】  日よけシェードを折りたたんだ図
【図１５】  耳あて部分側面図
【図１６】  耳あて部分正面図
【考案を実施するための形態】
【０００７】  本考案を図１から図１６に基づいて以下の如く説明すると、まず図１において示したように日よけシェードは外観上所謂防寒用耳あてと称する趣を有する特徴がありドーナツ状に空洞化された左右一対の耳あて部分２と耳あてを接続するアーチ部分３からなり、アーチは２枚で形成され後頭部に装着する構造とし、アーチ部分３で布生地を挟み込めるようにした耳と首回りを一体型で紫外線から遮断するものである。
ワイヤーで形つけられた耳あて部分に中心をドーナツ状に空洞化したスポンジ等で覆い図４−２に示したように装着することで外部音が遮断されないような構造とし、着脱自在のカバーを着用する。
アーチ部分はクリップ型図６やばね口金型図７に示したような構造で２枚の板状部材の開いた間で布生地を挟めるようにした。
【実施例】
【０００８】  図２に示したように３のアーチは２タイプあり、ばね口金型は図７で２枚のばね口金類でできており、両端より内側に圧力を加えて開き、布生地図１０，１１を挟み込む。クリップ型図６は弾力性のある樹脂や金属で形成し図６のクリップ型の下アゴ８に布生地図８又は図９の▲１０▼輪の部分を通して挟み込む。
布生地の型はストレート型図１０と短冊型図１１の２種類とし、どちらも後方姿は図２のよう同じになり、短冊型は図５のように布生地の両端を前首でスカーフ状に結べるようにし前記布生地は必要に応じて型を選べるようにした。
図４は日よけシェードを横から示しており、耳あて部に耳カバー図１２をつけ布生地を挟んだアーチ部分を後頭部髪の生え際を位置として髪の毛が布生地外側にくるように装着する。
布生地の裾にはソフトワイヤー等を入れ、風で布生地が捲れることを防ぐ。
耳あてとアーチは回転ヒンジ軸図１５で結合され、使用後は耳あてを内側に折りたたみ図１４カバンの隙間に収納するのに最適である。
【符号の説明】
【０００９】１  日よけシェード
２  耳あて部分
３  アーチ
４  耳当てとアーチの結合部分
５  布生地
６  ばね口金
７  クリップの上アゴ
８  クリップの下アゴ
９  ソフトワイヤーの入った布生地の裾
１０  布生地の輪
１１  布生地のストレート型
１２  布生地の短冊型
【図１】
0003219254.tif 000003
【図２】
0003219254.tif 000004
【図３】
0003219254.tif 000005
【図４】
0003219254.tif 000006
【図５】
0003219254.tif 000007
【図６】
0003219254.tif 000008
【図７】
0003219254.tif 000009
【図８】
0003219254.tif 000010
【図９】
0003219254.tif 000011
【図１０】
0003219254.tif 000012
【図１１】
0003219254.tif 000013
【図１２】
0003219254.tif 000014
【図１３】
0003219254.tif 000015
【図１４】
0003219254.tif 000016
【図１５】
0003219254.tif 000017
【図１６】
0003219254.tif 000018
【手続補正書】
【提出日】平成30年7月13日(2018.7.13)
【手続補正１】
【補正対象書類名】実用新案登録請求の範囲
【補正対象項目名】全文
【補正方法】変更
【補正の内容】
【実用新案登録請求の範囲】
【請求項１】
日よけシェードであって、ドーナツ状に空洞化された左右一対の耳あて部（２）と前記一対の耳あてをヒンジで接続するアーチ部（３）を備え、前記アーチ部（３）の全体に亘って布生地が装着されていることを特徴とする日よけシェード。
【請求項２】
前記一対の耳あて部は、それぞれ外側から内側方向に直角に折り収納することを特徴とする請求項１記載の日よけシェード。
【請求項３】
前記耳あて部（２）は布生地のカバーで覆われ、前記アーチ部（３）とヒンジで接続され、２枚の板状部材で形成したクリップ状から成るアーチ部（３）で布生地を挟み着脱自在に装着をすることを特徴とする請求項１記載の日よけシェード。
【請求項４】
アーチ部の板状部材は、ばね口金状を成し、両端より中央方向へ圧力を加え、開口部で布生地を挟み着脱自在に装着することを特徴とする請求項１記載の日よけシェード。
【請求項５】
前記布生地（５）は３枚の短冊状を成し、真中の短冊状片を他の短冊状片よりも幅広にし、裾にワイヤー（９）を装着したことを特徴とする日よけシェード。
【請求項６】
前記布生地を挟んだアーチ部は首部の後側に装着し、前記布生地の短冊状に形成した左右の短冊状片を首部の前側で結わえることを特徴とする請求項５記載の日よけシェード。
【手続補正書】
【提出日】平成30年9月13日(2018.9.13)
【手続補正１】
【補正対象書類名】実用新案登録請求の範囲
【補正対象項目名】全文
【補正方法】変更
【補正の内容】
【実用新案登録請求の範囲】
【請求項１】
日よけシェードであって、ドーナツ状に空洞化された左右一対の耳あて部（２）と前記一対の耳あてをヒンジで接続するアーチ部（３）を備え、前記アーチ部（３）の全体に亘って布生地が装着されていることを特徴とする日よけシェード。
【請求項２】
前記一対の耳あて部は、それぞれ外側から内側方向に直角に折り収納することを特徴とする請求項１記載の日よけシェード。
【請求項３】
前記耳あて部（２）は布生地のカバーで覆われ、前記アーチ部（３）とヒンジで接続され、２枚の板状部材で形成したクリップ状から成るアーチ部（３）で布生地を挟み着脱自在に装着をすることを特徴とする請求項１記載の日よけシェード。
【請求項４】
アーチ部の板状部材は、ばね口金状を成し、両端より中央方向へ圧力を加え、開口部で布生地を挟み着脱自在に装着することを特徴とする請求項１記載の日よけシェード。
【請求項５】
布生地（５）は３枚の短冊状を成し、真中の短冊状片を他の短冊状片よりも幅広にし、裾にワイヤー（９）を装着したことを特徴とする請求項１記載の日よけシェード。
【請求項６】
前記布生地を挟んだアーチ部は首部の後側に装着し、前記布生地の短冊状に形成した左右の短冊状片を首部の前側で結わえることを特徴とする請求項５記載の日よけシェード。